(57)【要約】【課題】本発明はロープを自動的に引き戻す命綱を開示した。【解決手段】取り付けブロックを含み、前記取り付けブロックの中には上方に開口したスライドガイドチャンバが左右に貫通するように設置され、前記スライドガイドチャンバの中にはローラー装置が設置され、前記取り付けブロックの中にはロープ引き戻し装置が設置され、前記取り付けブロックの下端には吊り装置が連結され、前記吊り装置の中には挟み装置が設置され、本発明は構成が簡単で、操作が便利であり、スライドロープでスライドする時に生じる振動を抑えられるだけではなく、体の多くの部位はロープによってきつくロックされ、体の重量を数本のロープに配り、使用寿命を長くすることもでき、また作業員は命綱を抜け出す時に自動的にロープを引き戻し、作業員が墜落することを防止できる。【選択図】図１
2020182769.tif 000002
【特許請求の範囲】
【請求項１】
正面視で、取り付けブロックを含み、前記取り付けブロックの中には上方に開口したスライドガイドチャンバが左右に貫通するように設置され、前記スライドガイドチャンバの中にはローラー装置が設置され、前記取り付けブロックの中にはロープ引き戻し装置が設置され、前記取り付けブロックの下端には吊り装置が連結され、前記吊り装置の中には挟み装置が設置され、前記ローラー装置は前記ガイドスライドチャンバの前後両側内壁の中に前後対称的に設置されたローラー溝を含み、前記ローラー溝の中には回転できるローラーが左右対称的に設置され、前後両側の前記ローラーのうち中心から離れている一端には固定軸が固定的に連結され、前記固定軸が前記ローラー溝のうち中心から離れている片側内壁に回転できるように連結され、前後両側の前記ローラーのうち中心から離れている一端と前記ローラー溝のうち中心から離れている片側内壁との間には第一トーションバネが固定的に連結され、前後両側の前記ローラーの中には向かい合って開口したスライダチャンバが設置され、前記スライダチャンバの中にはスライドできるスライダが上下対称的に設置され、上下両側の前記スライダのうち中心から離れている一端と前記スライダチャンバの上下両側の内壁との間には挟みバネが固定的に連結され、前後両側の前記スライダの間にはそれぞれ挟みローラーが回転できるように連結され、上下両側の前記挟みローラーの間には二本のスライドロープが設置され、前記挟みバネの弾力の作用の下で前記挟みローラーによって前記スライドロープをきつく挟み、それと同時に前記挟みローラーが前記スライドロープで転がることができ、前記第一トーションバネの弾力の作用の下で前記スライドロープを水平に維持し、また前記挟みローラーが前記スライドロープで転がる時の振動を抑えることを特徴とするロープを自動的に引き戻す命綱。
【請求項２】
前記ロープ引き戻し装置は前記取り付けブロックの中に設置された命綱巻きチャンバを含み、前記命綱巻きチャンバの中には命綱巻き輪が回転できるように設置され、前記命綱巻き輪には命綱とタイミングベルトとが連結され、前記命綱が前記タイミングベルトの前側に位置しており、前記命綱巻きチャンバの右側内壁の中にはタイミングベルトチャンバが連通するように設置され、前記タイミングベルトチャンバの中にはタイミングプーリが回転できるように設置され、前記タイミングベルトの右端が前記タイミングプーリに連結され、前記タイミングプーリの中にはスライドできる長軸が噛み合うように連結され、前記命綱巻き輪の後端には連結軸が固定的に連結され、前記連結軸には弾性ロッドが回転できるように連結され、前記弾性ロッドの前端と前記命綱巻き輪の後端との間には第二トーションバネが固定的に連結され、前記命綱巻きチャンバの右側内壁の中には一方向輪チャンバが連通するように設置され、前記一方向輪チャンバの中には一方向輪が回転できるように設置され、前記弾性ロッドの右端が前記一方向輪チャンバの中に伸びており、且つ前記一方向輪に当接しており、前記一方向輪の後端には短軸が固定的に連結され、前記一方向輪チャンバの後側内壁の中にはギヤチャンバが設置され、前記短軸の後端が前記ギヤチャンバの中に伸びており、且つ前記短軸の後端には大ギヤが固定的に連結され、前記大ギヤの右端には小ギヤが噛み合うように設置され、前記小ギヤの中にはネジロッドが固定的に連結され、前記ギヤチャンバの後側内壁の中には後方に開口したＬ型チャンバが設置され、前記Ｌ型チャンバの中にはＬ型ブロックがスライドできるように設置され、前記ネジロッドの後端が前記Ｌ型ブロックにネジ山によって連結され、前記長軸の後端が前記Ｌ型チャンバの中に伸びており、且つ前記Ｌ型ブロックに回転できるように連結され、前記Ｌ型チャンバの後側内壁の中にはモーターが固定的に設置され、前記長軸が前記モーターに動力が伝達できるように連結され、
前記命綱を引き動かし、前記命綱巻き輪を回転連動させ、ギヤの伝動と、綱の伝動とネジ山の伝動とによって、前記Ｌ型ブロックを前記Ｌ型チャンバから推しだし、それと同時に前記長軸が前記モーターに動力が伝達できるように連結され、この時に前記モーターを始動して命綱を引き戻すことができることを特徴とする請求項１に記載のロープを自動的に引き戻す命綱。
【請求項３】
前記吊り装置は前記命縄巻きチャンバの右側内壁の中に連通するように設置された命綱溝を含み、前記命綱溝の右側内壁の中には右方に開口した位置制限溝が連通するように設置され、前記位置制限溝の中には方向ガイド輪が回転できるように設置され、前記命綱の右端が前記方向ガイド輪によってガイドされた後、前記命綱の右端には位置制限ブロックが固定的に連結され、前記取り付けブロックの下端面の右側には感応ブロックが固定的に連結され、前記取り付けブロックの下端にはロープガイドブロックが左右対称的に固定的に連結され、前記ロープガイドブロックの中には上方に開口したロープガイド穴が左右に貫通するように設置され、両側の前記ロープガイド穴の間には収縮ロープがスライドできるように設置され、前記取り付けブロックの下端には固定ロープが左右対称的に、且つ固定的に連結され、両側の前記固定ロープの下端の間には敷板が固定的に連結され、前記敷板の中にはロープ巻きチャンバが設置され、前記ロープ巻きチャンバの中にはロープ巻き軸が回転できるように設置され、前記ロープ巻きチャンバの右側内壁の中には右方に開口した定位溝が連通するように設置され、前記ロープ巻き軸の右端が前記定位溝を通過しており、且つ前記ロープ巻き軸の右端には回転ハンドルが噛み合うように連結され、前記ロープ巻き軸には五本の巻きロープが巻き付くように連結され、前記巻きロープのもう一端が前記敷板の上端に固定的に連結され、
前記収縮ロープと、前記命綱と、前記巻きロープとによって作業員の体を連結し、前記回転ハンドルを回転させ、更に前記ロープ巻き軸を回転連動させ、且つ前記巻きロープを引き締め、前記回転ハンドルを前記定位溝の中に推し込んで逆方向に回転することを防止することを特徴とする請求項２に記載のロープを自動的に引き戻す命綱。
【請求項４】
前記挟み装置は前記命綱の下端と前記収縮ロープの右端にそれぞれ固定的に連結されたシートベルトバックルを含み、前記命綱及び前記収縮ロープがそれぞれ両側の前記シートベルトバックルの穴を通過しており、前記収縮ロープの左端には二つのダブルバックルが固定的に連結され、前記収縮ロープが前記ダブルバックルの穴を通過しおり、前記収縮ロープには二つの挟みボールがスライドできるように連結され、前記二つの前記挟みボールがそれぞれ前記ダブルバックル及び左側の前記シートベルトバックルの上側に位置しており、前記命綱には右側の前記シートベルトバックルの上側に位置している前記挟みボールがスライドできるように連結され、
作業員の体は前記収縮ロープと前記シートベルトバックルとが形成したロープ穴や前記収縮ロープと前記ダブルバックルとが形成したロープ穴や前記命綱と前記シートベルトバックルとが形成したロープ穴を通しており、前記挟みボールをスライドさせて前記ダブルバックルと前記シートベルトバックルとをきつく押し、更に体を固定することを特徴とする請求項２又は請求項３に記載のロープを自動的に引き戻す命綱。
【発明の詳細な説明】
【技術分野】
【０００１】
本発明は労働保護用品分野に関わり、具体的にはロープを自動的に引き戻す命綱である。
【背景技術】
【０００２】
高所作業をする時、作業員の命の安全は命綱にしか頼れなく、普通の命綱は頑丈なロープによって作られ、それで作業員を高所に吊り、使用時間が長いと、命綱のバックルはきつくロックできなくなり、こうして命綱は作業員の体を抜け出すリスクがあり、従って、体の多くの部位をきつくロックし、自動的にロープを引き戻すことができる命綱を設計するのは必要であり、本装置はスライドロープでスライドする時に生じる振動を抑えられるだけではなく、体の多くの部位はロープによってきつくロックされ、体の重量を数本のロープに配り、使用寿命を長くすることもでき、また作業員は命綱を抜け出す時に自動的にロープを引き戻し、作業員が墜落することを防止できる。
【先行技術文献】
【特許文献】
【０００３】
【特許文献１】中国特許出願公開第１０５１０２０７４号明細書
【発明の概要】
【発明が解決しようとする課題】
【０００４】
本発明はロープを自動的に引き戻す命綱を提供し，上記背景技術にある欠点を解消することを目的とする。
【課題を解決するための手段】
【０００５】
本発明は以下の技術プランにより実現される：本発明のロープを自動的に引き戻す命綱は、取り付けブロックを含み、前記取り付けブロックの中には上方に開口したスライドガイドチャンバが左右に貫通するように設置され、前記スライドガイドチャンバの中にはローラー装置が設置され、前記取り付けブロックの中にはロープ引き戻し装置が設置され、前記取り付けブロックの下端には吊り装置が連結され、前記吊り装置の中には挟み装置が設置され、前記ローラー装置は前記ガイドスライドチャンバの前後両側内壁の中に前後対称的に設置されたローラー溝を含み、前記ローラー溝の中には回転できるローラーが左右対称的に設置され、前後両側の前記ローラーのうち中心から離れている一端には固定軸が固定的に連結され、前記固定軸が前記ローラー溝のうち中心から離れている片側内壁に回転できるように連結され、前後両側の前記ローラーのうち中心から離れている一端と前記ローラー溝のうち中心から離れている片側内壁との間には第一トーションバネが固定的に連結され、前後両側の前記ローラーの中には向かい合って開口したスライダチャンバが設置され、前記スライダチャンバの中にはスライドできるスライダが上下対称的に設置され、上下両側の前記スライダのうち中心から離れている一端と前記スライダチャンバの上下両側の内壁との間には挟みバネが固定的に連結され、前後両側の前記スライダの間にはそれぞれ挟みローラーが回転できるように連結され、上下両側の前記挟みローラーの間には二本のスライドロープが設置され、前記挟みバネの弾力の作用の下で前記挟みローラーによって前記スライドロープをきつく挟み、それと同時に前記挟みローラーが前記スライドロープで転がることができ、前記第一トーションバネの弾力の作用の下で前記スライドロープを水平に維持し、また前記挟みローラーが前記スライドロープで転がる時の振動を抑える。
【０００６】
さらなる技術プランには、前記ロープ引き戻し装置は前記取り付けブロックの中に設置された命綱巻きチャンバを含み、前記命綱巻きチャンバの中には命綱巻き輪が回転できるように設置され、前記命綱巻き輪には命綱とタイミングベルトとが連結され、前記命綱が前記タイミングベルトの前側に位置しており、前記命綱巻きチャンバの右側内壁の中にはタイミングベルトチャンバが連通するように設置され、前記タイミングベルトチャンバの中にはタイミングプーリが回転できるように設置され、前記タイミングベルトの右端が前記タイミングプーリに連結され、前記タイミングプーリの中にはスライドできる長軸が噛み合うように連結され、前記命綱巻き輪の後端には連結軸が固定的に連結され、前記連結軸には弾性ロッドが回転できるように連結され、前記弾性ロッドの前端と前記命綱巻き輪の後端との間には第二トーションバネが固定的に連結され、前記命綱巻きチャンバの右側内壁の中には一方向輪チャンバが連通するように設置され、前記一方向輪チャンバの中には一方向輪が回転できるように設置され、前記弾性ロッドの右端が前記一方向輪チャンバの中に伸びており、且つ前記一方向輪に当接しており、前記一方向輪の後端には短軸が固定的に連結され、前記一方向輪チャンバの後側内壁の中にはギヤチャンバが設置され、前記短軸の後端が前記ギヤチャンバの中に伸びており、且つ前記短軸の後端には大ギヤが固定的に連結され、前記大ギヤの右端には小ギヤが噛み合うように設置され、前記小ギヤの中にはネジロッドが固定的に連結され、前記ギヤチャンバの後側内壁の中には後方に開口したＬ型チャンバが設置され、前記Ｌ型チャンバの中にはＬ型ブロックがスライドできるように設置され、前記ネジロッドの後端が前記Ｌ型ブロックにネジ山によって連結され、前記長軸の後端が前記Ｌ型チャンバの中に伸びており、且つ前記Ｌ型ブロックに回転できるように連結され、前記Ｌ型チャンバの後側内壁の中にはモーターが固定的に設置され、前記長軸が前記モーターに動力が伝達できるように連結され、
前記命綱を引き動かし、前記命綱巻き輪を回転連動させ、ギヤの伝動と、綱の伝動とネジ山の伝動とによって、前記Ｌ型ブロックを前記Ｌ型チャンバから推しだし、それと同時に前記長軸が前記モーターに動力が伝達できるように連結され、この時に前記モーターを始動して命綱を引き戻すことができる。
【０００７】
さらなる技術プランには、前記吊り装置は前記命縄巻きチャンバの右側内壁の中に連通するように設置された命綱溝を含み、前記命綱溝の右側内壁の中には右方に開口した位置制限溝が連通するように設置され、前記位置制限溝の中には方向ガイド輪が回転できるように設置され、前記命綱の右端が前記方向ガイド輪によってガイドされた後、前記命綱の右端には位置制限ブロックが固定的に連結され、前記取り付けブロックの下端面の右側には感応ブロックが固定的に連結され、前記取り付けブロックの下端にはロープガイドブロックが左右対称的に固定的に連結され、前記ロープガイドブロックの中には上方に開口したロープガイド穴が左右に貫通するように設置され、両側の前記ロープガイド穴の間には収縮ロープがスライドできるように設置され、前記取り付けブロックの下端には固定ロープが左右対称的に、且つ固定的に連結され、両側の前記固定ロープの下端の間には敷板が固定的に連結され、前記敷板の中にはロープ巻きチャンバが設置され、前記ロープ巻きチャンバの中にはロープ巻き軸が回転できるように設置され、前記ロープ巻きチャンバの右側内壁の中には右方に開口した定位溝が連通するように設置され、前記ロープ巻き軸の右端が前記定位溝を通過しており、且つ前記ロープ巻き軸の右端には回転ハンドルが噛み合うように連結され、前記ロープ巻き軸には五本の巻きロープが巻き付くように連結され、前記巻きロープのもう一端が前記敷板の上端に固定的に連結され、
前記収縮ロープと、前記命綱と、前記巻きロープとによって作業員の体を連結し、前記回転ハンドルを回転させ、更に前記ロープ巻き軸を回転連動させ、且つ前記巻きロープを引き締め、前記回転ハンドルを前記定位溝の中に推し込んで逆方向に回転することを防止する。
【０００８】
さらなる技術方案には、前記挟み装置は前記命綱の下端と前記収縮ロープの右端にそれぞれ固定的に連結されたシートベルトバックルを含み、前記命綱及び前記収縮ロープがそれぞれ両側の前記シートベルトバックルの穴を通過しており、前記収縮ロープの左端には二つのダブルバックルが固定的に連結され、前記収縮ロープが前記ダブルバックルの穴を通過しおり、前記収縮ロープには二つの挟みボールがスライドできるように連結され、前記二つの前記挟みボールがそれぞれ前記ダブルバックル及び左側の前記シートベルトバックルの上側に位置しており、前記命綱には右側の前記シートベルトバックルの上側に位置している前記挟みボールがスライドできるように連結され、
作業員の体は前記収縮ロープと前記シートベルトバックルとが形成したロープ穴や前記収縮ロープと前記ダブルバックルとが形成したロープ穴や前記命綱と前記シートベルトバックルとが形成したロープ穴を通しており、前記挟みボールをスライドさせて前記ダブルバックルと前記シートベルトバックルとをきつく押し、更に体を固定する。
【発明の効果】
【０００９】
本発明の有益な効果は：本発明は構成が簡単で、操作が便利であり、スライドロープでスライドする時に生じる振動を抑えられるだけではなく、体の多くの部位はロープによってきつくロックされ、体の重量を数本のロープに配り、使用寿命を長くすることもでき、また作業員は命綱を抜け出す時に自動的にロープを引き戻し、作業員が墜落することを防止できる。
【図面の簡単な説明】
【００１０】
下記に図１〜８をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明のロープを自動的に引き戻す命綱の内部構成概略図
【図２】図２は図１の中の「Ａ―Ａ」方向の構成概略図
【図３】図３は図１の中の「Ｂ―Ｂ」方向の構成概略図
【図４】図４は図１の中の「Ｃ―Ｃ」方向の構成概略図
【図５】図５は図１の中の「Ｄ―Ｄ」方向の構成概略図
【図６】図６は図１の中の「Ｅ―Ｅ」方向の構成概略図
【図７】図７は図３の中の「Ｆ―Ｆ」方向の構成概略図
【図８】図８は図４の中の「Ｇ―Ｇ」方向の構成概略図
【発明を実施するための形態】
【００１２】
図１〜８を参照し、本発明のロープを自動的に引き戻す命綱は、取り付けブロック１１を含み、前記取り付けブロック１１の中には上方に開口したスライドガイドチャンバ１４が左右に貫通するように設置され、前記スライドガイドチャンバ１４の中にはローラー装置１００が設置され、前記取り付けブロック１１の中にはロープ引き戻し装置１０１が設置され、前記取り付けブロック１１の下端には吊り装置１０２が連結され、前記吊り装置１０２の中には挟み装置１０３が設置され、前記ローラー装置１００は前記ガイドスライドチャンバ１４の前後両側内壁の中に前後対称的に設置されたローラー溝１６を含み、前記ローラー溝１６の中には回転できるローラー１５が左右対称的に設置され、前後両側の前記ローラー１５のうち中心から離れている一端には固定軸２６が固定的に連結され、前記固定軸２６が前記ローラー溝１６のうち中心から離れている片側内壁に回転できるように連結され、前後両側の前記ローラー１５のうち中心から離れている一端と前記ローラー溝１６のうち中心から離れている片側内壁との間には第一トーションバネ２７が固定的に連結され、前後両側の前記ローラー１５の中には向かい合って開口したスライダチャンバ１７が設置され、前記スライダチャンバ１７の中にはスライドできるスライダ１９が上下対称的に設置され、上下両側の前記スライダ１９のうち中心から離れている一端と前記スライダチャンバ１７の上下両側の内壁との間には挟みバネ１８が固定的に連結され、前後両側の前記スライダ１９の間にはそれぞれ挟みローラー１２が回転できるように連結され、上下両側の前記挟みローラー１２の間には二本のスライドロープ１３が設置され、前記挟みバネ１８の弾力の作用の下で前記挟みローラー１２によって前記スライドロープ１３をきつく挟み、それと同時に前記挟みローラー１２が前記スライドロープ１３で転がることができ、前記第一トーションバネ２７の弾力の作用の下で前記スライドロープ１３を水平に維持し、また前記挟みローラー１２が前記スライドロープ１３で転がる時の振動を抑える。
【００１３】
有益なように、前記ロープ引き戻し装置１０１は前記取り付けブロック１１の中に設置された命綱巻きチャンバ３９を含み、前記命綱巻きチャンバ３９の中には命綱巻き輪４０が回転できるように設置され、前記命綱巻き輪４０には命綱２５とタイミングベルト４２とが連結され、前記命綱２５が前記タイミングベルト４２の前側に位置しており、前記命綱巻きチャンバ３９の右側内壁の中にはタイミングベルトチャンバ４３が連通するように設置され、前記タイミングベルトチャンバ４３の中にはタイミングプーリ４７が回転できるように設置され、前記タイミングベルト４２の右端が前記タイミングプーリ４７に連結され、前記タイミングプーリ４７の中にはスライドできる長軸５１が噛み合うように連結され、前記命綱巻き輪４０の後端には連結軸４５が固定的に連結され、前記連結軸４５には弾性ロッド４６が回転できるように連結され、前記弾性ロッド４６の前端と前記命綱巻き輪４０の後端との間には第二トーションバネ４４が固定的に連結され、前記命綱巻きチャンバ３９の右側内壁の中には一方向輪チャンバ４９が連通するように設置され、前記一方向輪チャンバ４９の中には一方向輪４８が回転できるように設置され、前記弾性ロッド４６の右端が前記一方向輪チャンバ４９の中に伸びており、且つ前記一方向輪４８に当接しており、前記一方向輪４８の後端には短軸５７が固定的に連結され、前記一方向輪チャンバ４９の後側内壁の中にはギヤチャンバ５８が設置され、前記短軸５７の後端が前記ギヤチャンバ５８の中に伸びており、且つ前記短軸５７の後端には大ギヤ５６が固定的に連結され、前記大ギヤ５６の右端には小ギヤ５０が噛み合うように設置され、前記小ギヤ５０の中にはネジロッド５２が固定的に連結され、前記ギヤチャンバ５８の後側内壁の中には後方に開口したＬ型チャンバ５４が設置され、前記Ｌ型チャンバ５４の中にはＬ型ブロック５５がスライドできるように設置され、前記ネジロッド５２の後端が前記Ｌ型ブロック５５にネジ山によって連結され、前記長軸５１の後端が前記Ｌ型チャンバ５４の中に伸びており、且つ前記Ｌ型ブロック５５に回転できるように連結され、前記Ｌ型チャンバ５４の後側内壁の中にはモーター５３が固定的に設置され、前記長軸５１が前記モーター５３に動力が伝達できるように連結され、
前記命綱２５を引き動かし、前記命綱巻き輪４０を回転連動させ、ギヤの伝動と、綱の伝動とネジ山の伝動とによって、前記Ｌ型ブロック５５を前記Ｌ型チャンバ５４から推しだし、それと同時に前記長軸５１が前記モーター５３に動力が伝達できるように連結され、この時に前記モーター５３を始動して命綱を引き戻すことができる。
【００１４】
有益なように、前記吊り装置１０２は前記命縄巻きチャンバ３９の右側内壁の中に連通するように設置された命綱溝２０を含み、前記命綱溝２０の右側内壁の中には右方に開口した位置制限溝２１が連通するように設置され、前記位置制限溝２１の中には方向ガイド輪２２が回転できるように設置され、前記命綱２５の右端が前記方向ガイド輪２２によってガイドされた後、前記命綱２５の右端には位置制限ブロック２４が固定的に連結され、前記取り付けブロック１１の下端面の右側には感応ブロック２３が固定的に連結され、前記取り付けブロック１１の下端にはロープガイドブロック３７が左右対称的に固定的に連結され、前記ロープガイドブロック３７の中には上方に開口したロープガイド穴３８が左右に貫通するように設置され、両側の前記ロープガイド穴３８の間には収縮ロープ４１がスライドできるように設置され、前記取り付けブロック１１の下端には固定ロープ３４が左右対称的に、且つ固定的に連結され、両側の前記固定ロープ３４の下端の間には敷板３３が固定的に連結され、前記敷板３３の中にはロープ巻きチャンバ６０が設置され、前記ロープ巻きチャンバ６０の中にはロープ巻き軸３０が回転できるように設置され、前記ロープ巻きチャンバ６０の右側内壁の中には右方に開口した定位溝５９が連通するように設置され、前記ロープ巻き軸３０の右端が前記定位溝５９を通過しており、且つ前記ロープ巻き軸３０の右端には回転ハンドル３１が噛み合うように連結され、前記ロープ巻き軸３０には五本の巻きロープ３２が巻き付くように連結され、前記巻きロープ３２のもう一端が前記敷板３３の上端に固定的に連結され、
前記収縮ロープ４１と、前記命綱２５と、前記巻きロープ３２とによって作業員の体を連結し、前記回転ハンドル３１を回転させ、更に前記ロープ巻き軸３０を回転連動させ、且つ前記巻きロープ３２を引き締め、前記回転ハンドル３１を前記定位溝５９の中に推し込んで逆方向に回転することを防止する。
【００１５】
有益なように、前記挟み装置１０３は前記命綱２５の下端と前記収縮ロープ４１の右端にそれぞれ固定的に連結されたシートベルトバックル２８を含み、前記命綱２５及び前記収縮ロープ４１がそれぞれ両側の前記シートベルトバックル２８の穴を通過しており、前記収縮ロープ４１の左端には二つのダブルバックル３５が固定的に連結され、前記収縮ロープ４１が前記ダブルバックル３５の穴を通過しおり、前記収縮ロープ４１には二つの挟みボール３６がスライドできるように連結され、前記二つの前記挟みボール３６がそれぞれ前記ダブルバックル３５及び左側の前記シートベルトバックル２８の上側に位置しており、前記命綱２５には右側の前記シートベルトバックル２８の上側に位置している前記挟みボール３６がスライドできるように連結され、
作業員の体は前記収縮ロープ４１と前記シートベルトバックル２８とが形成したロープ穴や前記収縮ロープ４１と前記ダブルバックル３５とが形成したロープ穴や前記命綱２５と前記シートベルトバックル２８とが形成したロープ穴を通しており、前記挟みボール３６をスライドさせて前記ダブルバックル３５と前記シートベルトバックル２８とをきつく押し、更に体を固定する。
【００１６】
使用の時、双脚が左側のダブルバックル３５と収縮ロープ４１との間を通り、腰部が左側のシートベルトバックル２８と収縮ロープ４１との間を通り、胸部が右側のシートベルトバックル２８と命綱２５の間を通り、挟みボール３６をスライドさせて前記ダブルバックル３５と前記シートベルトバックル２８とをきつく押し、更に体を固定し、両脚が巻きロープ３２を通り、回転ハンドル３１を回転させ、更にロープ巻き軸３０を回転連動させて巻きロープ３２を引き締めると同時に両脚を固定し、回転ハンドル３１を定位溝５９の中に推し込んで逆方向に回転することを防止し、取り付けブロック１１がスライドロープ１３の方向に沿って移動し、挟みバネ１８の弾力の作用の下で挟みローラー１２によってスライドロープ１３をきつく挟み、同時に挟みローラー１２がスライドロープ１３で転がることができ、第一トーションバネ２７の弾力の作用の下でスライドロープ１３を水平に維持し、前記挟みローラー１２が前記スライドロープ１３で転がる時の振動を抑え、挟み装置１０３が緩んで動くことができ、且つ作業員の体が命綱を抜け出した時、体の上半部分は下に垂れ、体の移動によって命綱２５を引き動かし、更に命綱巻き輪４０を回転連動させ、更に弾性ロッド４６によって一方向輪４８を推し動かして回転させ、同時にギヤの伝動と綱の伝動とによってＬ型ブロック５５を連動させてＬ型チャンバ５４から滑り出し、また長軸５１をモーター５３に動力が伝達できるように連結し、この時にモーター５３を始動し、綱の伝動によって命綱巻き輪４０を逆方向に回転連動させて、更に逆方向に命綱を引き締め、更に作業員の体を引っ張って墜落を防止し、位置制限ブロック２４が感応ブロック２３と接触した時、モーター５３が停止し、同時に作業員の体は下方へ収縮ロープ４１の右端を引き動かし、この時に収縮ロープ４１の左端が上昇し、更にダブルバックル３５と収縮ロープ４１との間の穴を収縮し、且つ両脚を引っ張り止め、この時に作業員の体が水平に維持し、命綱を解ける時、Ｌ型ブロック５５をＬ型チャンバ５４の中に推し込み、ネジ山の伝動とギヤの伝動とによって命綱巻き輪４０を回転連動させ、更に命綱２５を緩め、この時に体が命綱を抜け出すことができる。
【００１７】
本発明の有益な効果は：本発明は構成が簡単で、操作が便利であり、スライドロープでスライドする時に生じる振動を抑えられるだけではなく、体の多くの部位はロープによってきつくロックされ、体の重量を数本のロープに配り、使用寿命を長くすることもでき、また作業員は命綱を抜け出す時に自動的にロープを引き戻し、作業員が墜落することを防止できる。
【００１８】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020182769.tif 000003
【図２】
2020182769.tif 000004
【図３】
2020182769.tif 000005
【図４】
2020182769.tif 000006
【図５】
2020182769.tif 000007
【図６】
2020182769.tif 000008
【図７】
2020182769.tif 000009
【図８】
2020182769.tif 000010
【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
正面視で、取り付けブロックを含み、前記取り付けブロックの中には上方に開口したスライドガイドチャンバが左右に貫通するように設置され、前記スライドガイドチャンバの中にはローラー装置が設置され、前記取り付けブロックの中にはロープ引き戻し装置が設置され、前記取り付けブロックの下端には吊り装置が連結され、前記吊り装置の中には挟み装置が設置され、前記ローラー装置は前記スライドガイドチャンバの前後両側内壁の中に前後対称的に設置されたローラー溝を含み、前記ローラー溝の中には回転できるローラーが左右対称的に設置され、前後両側の前記ローラーにおいて中心から離れている一端には固定軸が固定的に連結され、前記固定軸が前記ローラー溝において中心から離れている片側内壁に回転できるように連結され、前後両側の前記ローラーにおいて中心から離れている一端と前記ローラー溝において中心から離れている片側内壁との間には第一トーションバネが固定的に連結され、前後両側の前記ローラーの中には向かい合って開口したスライダチャンバが設置され、前記スライダチャンバの中にはスライドできるスライダが上下対称的に設置され、上下両側の前記スライダにおいて中心から離れている一端と前記スライダチャンバの上下両側の内壁との間には挟みバネが固定的に連結され、前後両側の前記スライダの間にはそれぞれ挟みローラーが回転できるように連結され、上下両側の前記挟みローラーの間には二本のスライドロープが設置され、前記挟みバネの弾力の作用の下で前記挟みローラーによって前記スライドロープをきつく挟み、それと同時に前記挟みローラーが前記スライドロープで転がることができ、前記第一トーションバネの弾力の作用の下で前記スライドロープを水平に維持し、また前記挟みローラーが前記スライドロープで転がる時の振動を抑えることを特徴とするロープを自動的に引き戻す命綱。
【請求項２】
前記ロープ引き戻し装置は前記取り付けブロックの中に設置された命綱巻きチャンバを含み、前記命綱巻きチャンバの中には命綱巻き輪が回転できるように設置され、前記命綱巻き輪には命綱とタイミングベルトとが連結され、前記命綱が前記タイミングベルトの前側に位置しており、前記命綱巻きチャンバの右側内壁の中にはタイミングベルトチャンバが連通するように設置され、前記タイミングベルトチャンバの中にはタイミングプーリが回転できるように設置され、前記タイミングベルトの右端が前記タイミングプーリに連結され、前記タイミングプーリの中にはスライドできる長軸が噛み合うように連結され、前記命綱巻き輪の後端には連結軸が固定的に連結され、前記連結軸には弾性ロッドが回転できるように連結され、前記弾性ロッドの前端と前記命綱巻き輪の後端との間には第二トーションバネが固定的に連結され、前記命綱巻きチャンバの右側内壁の中には一方向輪チャンバが連通するように設置され、前記一方向輪チャンバの中には一方向輪が回転できるように設置され、前記弾性ロッドの右端が前記一方向輪チャンバの中に伸びており、且つ前記一方向輪に当接しており、前記一方向輪の後端には短軸が固定的に連結され、前記一方向輪チャンバの後側内壁の中にはギヤチャンバが設置され、前記短軸の後端が前記ギヤチャンバの中に伸びており、且つ前記短軸の後端には大ギヤが固定的に連結され、前記大ギヤの右端には小ギヤが噛み合うように設置され、前記小ギヤの中にはネジロッドが固定的に連結され、前記ギヤチャンバの後側内壁の中には後方に開口したＬ型チャンバが設置され、前記Ｌ型チャンバの中にはＬ型ブロックがスライドできるように設置され、前記ネジロッドの後端が前記Ｌ型ブロックにネジ山によって連結され、前記長軸の後端が前記Ｌ型チャンバの中に伸びており、且つ前記Ｌ型ブロックに回転できるように連結され、前記Ｌ型チャンバの後側内壁の中にはモーターが固定的に設置され、前記長軸が前記モーターに動力が伝達できるように連結され、前記命綱を引き動かし、前記命綱巻き輪を回転連動させ、ギヤの伝動と、綱の伝動とネジ山の伝動とによって、前記Ｌ型ブロックを前記Ｌ型チャンバから推しだし、それと同時に前記長軸が前記モーターに動力が伝達できるように連結され、この時に前記モーターを始動して命綱を引き戻すことができることを特徴とする請求項１に記載のロープを自動的に引き戻す命綱。
【請求項３】
前記吊り装置は前記命縄巻きチャンバの右側内壁の中に連通するように設置された命綱溝を含み、前記命綱溝の右側内壁の中には右方に開口した位置制限溝が連通するように設置され、前記位置制限溝の中には方向ガイド輪が回転できるように設置され、前記命綱の右端が前記方向ガイド輪によってガイドされた後、前記命綱の右端には位置制限ブロックが固定的に連結され、前記取り付けブロックの下端面の右側には感応ブロックが固定的に連結され、前記取り付けブロックの下端にはロープガイドブロックが左右対称的に固定的に連結され、前記ロープガイドブロックの中には上方に開口したロープガイド穴が左右に貫通するように設置され、両側の前記ロープガイド穴の間には収縮ロープがスライドできるように設置され、前記取り付けブロックの下端には固定ロープが左右対称的に、且つ固定的に連結され、両側の前記固定ロープの下端の間には敷板が固定的に連結され、前記敷板の中にはロープ巻きチャンバが設置され、前記ロープ巻きチャンバの中にはロープ巻き軸が回転できるように設置され、前記ロープ巻きチャンバの右側内壁の中には右方に開口した定位溝が連通するように設置され、前記ロープ巻き軸の右端が前記定位溝を通過しており、且つ前記ロープ巻き軸の右端には回転ハンドルが噛み合うように連結され、前記ロープ巻き軸には五本の巻きロープが巻き付くように連結され、前記巻きロープのもう一端が前記敷板の上端に固定的に連結され、前記収縮ロープと、前記命綱と、前記巻きロープとによって作業員の体を連結し、前記回転ハンドルを回転させ、更に前記ロープ巻き軸を回転連動させ、且つ前記巻きロープを引き締め、前記回転ハンドルを前記定位溝の中に推し込んで逆方向に回転することを防止することを特徴とする請求項２に記載のロープを自動的に引き戻す命綱。
【請求項４】
前記挟み装置は前記命綱の下端と前記収縮ロープの右端にそれぞれ固定的に連結されたシートベルトバックルを含み、前記命綱及び前記収縮ロープがそれぞれ両側の前記シートベルトバックルの穴を通過しており、前記収縮ロープの左端には二つのダブルバックルが固定的に連結され、前記収縮ロープが前記ダブルバックルの穴を通過しおり、前記収縮ロープには二つの挟みボールがスライドできるように連結され、前記二つの前記挟みボールがそれぞれ前記ダブルバックル及び左側の前記シートベルトバックルの上側に位置しており、前記命綱には右側の前記シートベルトバックルの上側に位置している前記挟みボールがスライドできるように連結され、作業員の体は前記収縮ロープと前記シートベルトバックルとが形成したロープ穴や前記収縮ロープと前記ダブルバックルとが形成したロープ穴や前記命綱と前記シートベルトバックルとが形成したロープ穴を通しており、前記挟みボールをスライドさせて前記ダブルバックルと前記シートベルトバックルとをきつく押し、更に体を固定することを特徴とする請求項２又は請求項３に記載のロープを自動的に引き戻す命綱。
【手続補正２】
【補正対象書類名】明細書
【補正対象項目名】全文
【補正方法】変更
【補正の内容】
【発明の詳細な説明】
【技術分野】
【０００１】
本発明は労働保護用品分野に関わり、具体的にはロープを自動的に引き戻す命綱である。
【背景技術】
【０００２】
高所作業をする時、作業員の命の安全は命綱にしか頼れなく、普通の命綱は頑丈なロープによって作られ、それで作業員を高所に吊り、使用時間が長いと、命綱のバックルはきつくロックできなくなり、こうして命綱は作業員の体を抜け出すリスクがあり、従って、体の多くの部位をきつくロックし、自動的にロープを引き戻すことができる命綱を設計するのは必要であり、本装置はスライドロープでスライドする時に生じる振動を抑えられるだけではなく、体の多くの部位はロープによってきつくロックされ、体の重量を数本のロープに配り、使用寿命を長くすることもでき、また作業員は命綱を抜け出す時に自動的にロープを引き戻し、作業員が墜落することを防止できる。
【先行技術文献】
【特許文献】
【０００３】
【特許文献１】中国特許出願公開第１０５１０２０７４号明細書
【発明の概要】
【発明が解決しようとする課題】
【０００４】
本発明はロープを自動的に引き戻す命綱を提供し，上記背景技術にある欠点を解消することを目的とする。
【課題を解決するための手段】
【０００５】
本発明は以下の技術プランにより実現される：本発明のロープを自動的に引き戻す命綱は、取り付けブロックを含み、前記取り付けブロックの中には上方に開口したスライドガイドチャンバが左右に貫通するように設置され、前記スライドガイドチャンバの中にはローラー装置が設置され、前記取り付けブロックの中にはロープ引き戻し装置が設置され、前記取り付けブロックの下端には吊り装置が連結され、前記吊り装置の中には挟み装置が設置され、前記ローラー装置は前記スライドガイドチャンバの前後両側内壁の中に前後対称的に設置されたローラー溝を含み、前記ローラー溝の中には回転できるローラーが左右対称的に設置され、前後両側の前記ローラーにおいて中心から離れている一端には固定軸が固定的に連結され、前記固定軸が前記ローラー溝において中心から離れている片側内壁に回転できるように連結され、前後両側の前記ローラーにおいて中心から離れている一端と前記ローラー溝において中心から離れている片側内壁との間には第一トーションバネが固定的に連結され、前後両側の前記ローラーの中には向かい合って開口したスライダチャンバが設置され、前記スライダチャンバの中にはスライドできるスライダが上下対称的に設置され、上下両側の前記スライダにおいて中心から離れている一端と前記スライダチャンバの上下両側の内壁との間には挟みバネが固定的に連結され、前後両側の前記スライダの間にはそれぞれ挟みローラーが回転できるように連結され、上下両側の前記挟みローラーの間には二本のスライドロープが設置され、前記挟みバネの弾力の作用の下で前記挟みローラーによって前記スライドロープをきつく挟み、それと同時に前記挟みローラーが前記スライドロープで転がることができ、前記第一トーションバネの弾力の作用の下で前記スライドロープを水平に維持し、また前記挟みローラーが前記スライドロープで転がる時の振動を抑える。
【０００６】
さらなる技術プランには、前記ロープ引き戻し装置は前記取り付けブロックの中に設置された命綱巻きチャンバを含み、前記命綱巻きチャンバの中には命綱巻き輪が回転できるように設置され、前記命綱巻き輪には命綱とタイミングベルトとが連結され、前記命綱が前記タイミングベルトの前側に位置しており、前記命綱巻きチャンバの右側内壁の中にはタイミングベルトチャンバが連通するように設置され、前記タイミングベルトチャンバの中にはタイミングプーリが回転できるように設置され、前記タイミングベルトの右端が前記タイミングプーリに連結され、前記タイミングプーリの中にはスライドできる長軸が噛み合うように連結され、前記命綱巻き輪の後端には連結軸が固定的に連結され、前記連結軸には弾性ロッドが回転できるように連結され、前記弾性ロッドの前端と前記命綱巻き輪の後端との間には第二トーションバネが固定的に連結され、前記命綱巻きチャンバの右側内壁の中には一方向輪チャンバが連通するように設置され、前記一方向輪チャンバの中には一方向輪が回転できるように設置され、前記弾性ロッドの右端が前記一方向輪チャンバの中に伸びており、且つ前記一方向輪に当接しており、前記一方向輪の後端には短軸が固定的に連結され、前記一方向輪チャンバの後側内壁の中にはギヤチャンバが設置され、前記短軸の後端が前記ギヤチャンバの中に伸びており、且つ前記短軸の後端には大ギヤが固定的に連結され、前記大ギヤの右端には小ギヤが噛み合うように設置され、前記小ギヤの中にはネジロッドが固定的に連結され、前記ギヤチャンバの後側内壁の中には後方に開口したＬ型チャンバが設置され、前記Ｌ型チャンバの中にはＬ型ブロックがスライドできるように設置され、前記ネジロッドの後端が前記Ｌ型ブロックにネジ山によって連結され、前記長軸の後端が前記Ｌ型チャンバの中に伸びており、且つ前記Ｌ型ブロックに回転できるように連結され、前記Ｌ型チャンバの後側内壁の中にはモーターが固定的に設置され、前記長軸が前記モーターに動力が伝達できるように連結され、前記命綱を引き動かし、前記命綱巻き輪を回転連動させ、ギヤの伝動と、綱の伝動とネジ山の伝動とによって、前記Ｌ型ブロックを前記Ｌ型チャンバから推しだし、それと同時に前記長軸が前記モーターに動力が伝達できるように連結され、この時に前記モーターを始動して命綱を引き戻すことができる。
【０００７】
さらなる技術プランには、前記吊り装置は前記命縄巻きチャンバの右側内壁の中に連通するように設置された命綱溝を含み、前記命綱溝の右側内壁の中には右方に開口した位置制限溝が連通するように設置され、前記位置制限溝の中には方向ガイド輪が回転できるように設置され、前記命綱の右端が前記方向ガイド輪によってガイドされた後、前記命綱の右端には位置制限ブロックが固定的に連結され、前記取り付けブロックの下端面の右側には感応ブロックが固定的に連結され、前記取り付けブロックの下端にはロープガイドブロックが左右対称的に固定的に連結され、前記ロープガイドブロックの中には上方に開口したロープガイド穴が左右に貫通するように設置され、両側の前記ロープガイド穴の間には収縮ロープがスライドできるように設置され、前記取り付けブロックの下端には固定ロープが左右対称的に、且つ固定的に連結され、両側の前記固定ロープの下端の間には敷板が固定的に連結され、前記敷板の中にはロープ巻きチャンバが設置され、前記ロープ巻きチャンバの中にはロープ巻き軸が回転できるように設置され、前記ロープ巻きチャンバの右側内壁の中には右方に開口した定位溝が連通するように設置され、前記ロープ巻き軸の右端が前記定位溝を通過しており、且つ前記ロープ巻き軸の右端には回転ハンドルが噛み合うように連結され、前記ロープ巻き軸には五本の巻きロープが巻き付くように連結され、前記巻きロープのもう一端が前記敷板の上端に固定的に連結され、前記収縮ロープと、前記命綱と、前記巻きロープとによって作業員の体を連結し、前記回転ハンドルを回転させ、更に前記ロープ巻き軸を回転連動させ、且つ前記巻きロープを引き締め、前記回転ハンドルを前記定位溝の中に推し込んで逆方向に回転することを防止する。
【０００８】
さらなる技術方案には、前記挟み装置は前記命綱の下端と前記収縮ロープの右端にそれぞれ固定的に連結されたシートベルトバックルを含み、前記命綱及び前記収縮ロープがそれぞれ両側の前記シートベルトバックルの穴を通過しており、前記収縮ロープの左端には二つのダブルバックルが固定的に連結され、前記収縮ロープが前記ダブルバックルの穴を通過しおり、前記収縮ロープには二つの挟みボールがスライドできるように連結され、前記二つの前記挟みボールがそれぞれ前記ダブルバックル及び左側の前記シートベルトバックルの上側に位置しており、前記命綱には右側の前記シートベルトバックルの上側に位置している前記挟みボールがスライドできるように連結され、作業員の体は前記収縮ロープと前記シートベルトバックルとが形成したロープ穴や前記収縮ロープと前記ダブルバックルとが形成したロープ穴や前記命綱と前記シートベルトバックルとが形成したロープ穴を通しており、前記挟みボールをスライドさせて前記ダブルバックルと前記シートベルトバックルとをきつく押し、更に体を固定する。
【発明の効果】
【０００９】
本発明の有益な効果は：本発明は構成が簡単で、操作が便利であり、スライドロープでスライドする時に生じる振動を抑えられるだけではなく、体の多くの部位はロープによってきつくロックされ、体の重量を数本のロープに配り、使用寿命を長くすることもでき、また作業員は命綱を抜け出す時に自動的にロープを引き戻し、作業員が墜落することを防止できる。
【図面の簡単な説明】
【００１０】
下記に図１〜８をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明のロープを自動的に引き戻す命綱の内部構成概略図
【図２】図２は図１の中の「Ａ―Ａ」方向の構成概略図
【図３】図３は図１の中の「Ｂ―Ｂ」方向の構成概略図
【図４】図４は図１の中の「Ｃ―Ｃ」方向の構成概略図
【図５】図５は図１の中の「Ｄ―Ｄ」方向の構成概略図
【図６】図６は図１の中の「Ｅ―Ｅ」方向の構成概略図
【図７】図７は図３の中の「Ｆ―Ｆ」方向の構成概略図
【図８】図８は図４の中の「Ｇ―Ｇ」方向の構成概略図
【発明を実施するための形態】
【００１２】
図１〜８を参照し、本発明のロープを自動的に引き戻す命綱は、取り付けブロック１１を含み、前記取り付けブロック１１の中には上方に開口したスライドガイドチャンバ１４が左右に貫通するように設置され、前記スライドガイドチャンバ１４の中にはローラー装置１００が設置され、前記取り付けブロック１１の中にはロープ引き戻し装置１０１が設置され、前記取り付けブロック１１の下端には吊り装置１０２が連結され、前記吊り装置１０２の中には挟み装置１０３が設置され、前記ローラー装置１００は前記スライドガイドチャンバ１４の前後両側内壁の中に前後対称的に設置されたローラー溝１６を含み、前記ローラー溝１６の中には回転できるローラー１５が左右対称的に設置され、前後両側の前記ローラー１５において中心から離れている一端には固定軸２６が固定的に連結され、前記固定軸２６が前記ローラー溝１６において中心から離れている片側内壁に回転できるように連結され、前後両側の前記ローラー１５において中心から離れている一端と前記ローラー溝１６において中心から離れている片側内壁との間には第一トーションバネ２７が固定的に連結され、前後両側の前記ローラー１５の中には向かい合って開口したスライダチャンバ１７が設置され、前記スライダチャンバ１７の中にはスライドできるスライダ１９が上下対称的に設置され、上下両側の前記スライダ１９において中心から離れている一端と前記スライダチャンバ１７の上下両側の内壁との間には挟みバネ１８が固定的に連結され、前後両側の前記スライダ１９の間にはそれぞれ挟みローラー１２が回転できるように連結され、上下両側の前記挟みローラー１２の間には二本のスライドロープ１３が設置され、前記挟みバネ１８の弾力の作用の下で前記挟みローラー１２によって前記スライドロープ１３をきつく挟み、それと同時に前記挟みローラー１２が前記スライドロープ１３で転がることができ、前記第一トーションバネ２７の弾力の作用の下で前記スライドロープ１３を水平に維持し、また前記挟みローラー１２が前記スライドロープ１３で転がる時の振動を抑える。
【００１３】
有益なように、前記ロープ引き戻し装置１０１は前記取り付けブロック１１の中に設置された命綱巻きチャンバ３９を含み、前記命綱巻きチャンバ３９の中には命綱巻き輪４０が回転できるように設置され、前記命綱巻き輪４０には命綱２５とタイミングベルト４２とが連結され、前記命綱２５が前記タイミングベルト４２の前側に位置しており、前記命綱巻きチャンバ３９の右側内壁の中にはタイミングベルトチャンバ４３が連通するように設置され、前記タイミングベルトチャンバ４３の中にはタイミングプーリ４７が回転できるように設置され、前記タイミングベルト４２の右端が前記タイミングプーリ４７に連結され、前記タイミングプーリ４７の中にはスライドできる長軸５１が噛み合うように連結され、前記命綱巻き輪４０の後端には連結軸４５が固定的に連結され、前記連結軸４５には弾性ロッド４６が回転できるように連結され、前記弾性ロッド４６の前端と前記命綱巻き輪４０の後端との間には第二トーションバネ４４が固定的に連結され、前記命綱巻きチャンバ３９の右側内壁の中には一方向輪チャンバ４９が連通するように設置され、前記一方向輪チャンバ４９の中には一方向輪４８が回転できるように設置され、前記弾性ロッド４６の右端が前記一方向輪チャンバ４９の中に伸びており、且つ前記一方向輪４８に当接しており、前記一方向輪４８の後端には短軸５７が固定的に連結され、前記一方向輪チャンバ４９の後側内壁の中にはギヤチャンバ５８が設置され、前記短軸５７の後端が前記ギヤチャンバ５８の中に伸びており、且つ前記短軸５７の後端には大ギヤ５６が固定的に連結され、前記大ギヤ５６の右端には小ギヤ５０が噛み合うように設置され、前記小ギヤ５０の中にはネジロッド５２が固定的に連結され、前記ギヤチャンバ５８の後側内壁の中には後方に開口したＬ型チャンバ５４が設置され、前記Ｌ型チャンバ５４の中にはＬ型ブロック５５がスライドできるように設置され、前記ネジロッド５２の後端が前記Ｌ型ブロック５５にネジ山によって連結され、前記長軸５１の後端が前記Ｌ型チャンバ５４の中に伸びており、且つ前記Ｌ型ブロック５５に回転できるように連結され、前記Ｌ型チャンバ５４の後側内壁の中にはモーター５３が固定的に設置され、前記長軸５１が前記モーター５３に動力が伝達できるように連結され、前記命綱２５を引き動かし、前記命綱巻き輪４０を回転連動させ、ギヤの伝動と、綱の伝動とネジ山の伝動とによって、前記Ｌ型ブロック５５を前記Ｌ型チャンバ５４から推しだし、それと同時に前記長軸５１が前記モーター５３に動力が伝達できるように連結され、この時に前記モーター５３を始動して命綱を引き戻すことができる。
【００１４】
有益なように、前記吊り装置１０２は前記命縄巻きチャンバ３９の右側内壁の中に連通するように設置された命綱溝２０を含み、前記命綱溝２０の右側内壁の中には右方に開口した位置制限溝２１が連通するように設置され、前記位置制限溝２１の中には方向ガイド輪２２が回転できるように設置され、前記命綱２５の右端が前記方向ガイド輪２２によってガイドされた後、前記命綱２５の右端には位置制限ブロック２４が固定的に連結され、前記取り付けブロック１１の下端面の右側には感応ブロック２３が固定的に連結され、前記取り付けブロック１１の下端にはロープガイドブロック３７が左右対称的に固定的に連結され、前記ロープガイドブロック３７の中には上方に開口したロープガイド穴３８が左右に貫通するように設置され、両側の前記ロープガイド穴３８の間には収縮ロープ４１がスライドできるように設置され、前記取り付けブロック１１の下端には固定ロープ３４が左右対称的に、且つ固定的に連結され、両側の前記固定ロープ３４の下端の間には敷板３３が固定的に連結され、前記敷板３３の中にはロープ巻きチャンバ６０が設置され、前記ロープ巻きチャンバ６０の中にはロープ巻き軸３０が回転できるように設置され、前記ロープ巻きチャンバ６０の右側内壁の中には右方に開口した定位溝５９が連通するように設置され、前記ロープ巻き軸３０の右端が前記定位溝５９を通過しており、且つ前記ロープ巻き軸３０の右端には回転ハンドル３１が噛み合うように連結され、前記ロープ巻き軸３０には五本の巻きロープ３２が巻き付くように連結され、前記巻きロープ３２のもう一端が前記敷板３３の上端に固定的に連結され、前記収縮ロープ４１と、前記命綱２５と、前記巻きロープ３２とによって作業員の体を連結し、前記回転ハンドル３１を回転させ、更に前記ロープ巻き軸３０を回転連動させ、且つ前記巻きロープ３２を引き締め、前記回転ハンドル３１を前記定位溝５９の中に推し込んで逆方向に回転することを防止する。
【００１５】
有益なように、前記挟み装置１０３は前記命綱２５の下端と前記収縮ロープ４１の右端にそれぞれ固定的に連結されたシートベルトバックル２８を含み、前記命綱２５及び前記収縮ロープ４１がそれぞれ両側の前記シートベルトバックル２８の穴を通過しており、前記収縮ロープ４１の左端には二つのダブルバックル３５が固定的に連結され、前記収縮ロープ４１が前記ダブルバックル３５の穴を通過しおり、前記収縮ロープ４１には二つの挟みボール３６がスライドできるように連結され、前記二つの前記挟みボール３６がそれぞれ前記ダブルバックル３５及び左側の前記シートベルトバックル２８の上側に位置しており、前記命綱２５には右側の前記シートベルトバックル２８の上側に位置している前記挟みボール３６がスライドできるように連結され、作業員の体は前記収縮ロープ４１と前記シートベルトバックル２８とが形成したロープ穴や前記収縮ロープ４１と前記ダブルバックル３５とが形成したロープ穴や前記命綱２５と前記シートベルトバックル２８とが形成したロープ穴を通しており、前記挟みボール３６をスライドさせて前記ダブルバックル３５と前記シートベルトバックル２８とをきつく押し、更に体を固定する。
【００１６】
使用の時、双脚が左側のダブルバックル３５と収縮ロープ４１との間を通り、腰部が左側のシートベルトバックル２８と収縮ロープ４１との間を通り、胸部が右側のシートベルトバックル２８と命綱２５の間を通り、挟みボール３６をスライドさせて前記ダブルバックル３５と前記シートベルトバックル２８とをきつく押し、更に体を固定し、両脚が巻きロープ３２を通り、回転ハンドル３１を回転させ、更にロープ巻き軸３０を回転連動させて巻きロープ３２を引き締めると同時に両脚を固定し、回転ハンドル３１を定位溝５９の中に推し込んで逆方向に回転することを防止し、取り付けブロック１１がスライドロープ１３の方向に沿って移動し、挟みバネ１８の弾力の作用の下で挟みローラー１２によってスライドロープ１３をきつく挟み、同時に挟みローラー１２がスライドロープ１３で転がることができ、第一トーションバネ２７の弾力の作用の下でスライドロープ１３を水平に維持し、前記挟みローラー１２が前記スライドロープ１３で転がる時の振動を抑え、挟み装置１０３が緩んで動くことができ、且つ作業員の体が命綱を抜け出した時、体の上半部分は下に垂れ、体の移動によって命綱２５を引き動かし、更に命綱巻き輪４０を回転連動させ、更に弾性ロッド４６によって一方向輪４８を推し動かして回転させ、同時にギヤの伝動と綱の伝動とによってＬ型ブロック５５を連動させてＬ型チャンバ５４から滑り出し、また長軸５１をモーター５３に動力が伝達できるように連結し、この時にモーター５３を始動し、綱の伝動によって命綱巻き輪４０を逆方向に回転連動させて、更に逆方向に命綱を引き締め、更に作業員の体を引っ張って墜落を防止し、位置制限ブロック２４が感応ブロック２３と接触した時、モーター５３が停止し、同時に作業員の体は下方へ収縮ロープ４１の右端を引き動かし、この時に収縮ロープ４１の左端が上昇し、更にダブルバックル３５と収縮ロープ４１との間の穴を収縮し、且つ両脚を引っ張り止め、この時に作業員の体が水平に維持し、命綱を解ける時、Ｌ型ブロック５５をＬ型チャンバ５４の中に推し込み、ネジ山の伝動とギヤの伝動とによって命綱巻き輪４０を回転連動させ、更に命綱２５を緩め、この時に体が命綱を抜け出すことができる。
【００１７】
本発明の有益な効果は：本発明は構成が簡単で、操作が便利であり、スライドロープでスライドする時に生じる振動を抑えられるだけではなく、体の多くの部位はロープによってきつくロックされ、体の重量を数本のロープに配り、使用寿命を長くすることもでき、また作業員は命綱を抜け出す時に自動的にロープを引き戻し、作業員が墜落することを防止できる。
【００１８】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。